(57)【要約】原稿処理のためのシステム及び方法が提供されている。非視覚的検出システムが、１枚だけのシート、又は複数枚の積み重なったシートの寸法、向き、及び／又は位置を検出できる場合がある。原稿スキャン構成は、様々な特性を有するシートの両面スキャンできる場合がある。提供されているシステム及び方法は、様々なタイプの原稿の、高スループットで迅速なデジタル化に高品質で対処することができる。【選択図】図１
2020512247.tif 000002
【特許請求の範囲】
【請求項１】
シートの特性を測定する方法であって、
（ａ）自動移送機構に複数のシートセンサを提供することと、
（ｂ）前記複数のシートセンサを利用して、前記自動移送機構を横断しながら、前記シートが前記複数のシートセンサの下に位置決めされるタイミングを検出することと、
（ｃ）１つ又は複数のプロセッサを利用して、前記タイミングの前記検出に基づいて前記シートの寸法、位置、又は向きを計算することと、を含む方法。
【請求項２】
前記複数のシートセンサが実質的に直線状の列として配置されている、請求項１に記載の方法。
【請求項３】
前記自動移送機構が、前記複数のシートセンサの前記実質的に直線状の列に実質的に垂直な方向に前記シートを移送するように構成されている、請求項２に記載の方法。
【請求項４】
前記自動移送機構が、前記複数のシートセンサの前記実質的に直線状の列に対して非垂直の角度を成す方向に前記シートを移送するように構成されている、請求項２に記載の方法。
【請求項５】
前記複数のシートセンサが、実質的に一定の距離分だけ均等に離れている、請求項２に記載の方法。
【請求項６】
前記複数のシートセンサが、複数の実質的に直線状の列で配置されている、請求項１に記載の方法。
【請求項７】
前記複数のシートセンサが、アレイとして配置されている、請求項６に記載の方法。
【請求項８】
前記複数のシートセンサが、複数の千鳥状の列として配置されている、請求項６に記載の方法。
【請求項９】
前記自動移送機構が、コンベアベルト、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及びドラッグコンベアのうちの１つ又は複数である、請求項１に記載の方法。
【請求項１０】
前記自動移送機構が、コンベアベルトと前記シートとの間に接着力を提供するように構成された真空気流を含む、請求項１に記載の方法。
【請求項１１】
前記１つ又は複数のプロセッサが、前記シートの幅、長さ、厚さ、対角線、又は周囲長を判定する、請求項１に記載の方法。
【請求項１２】
前記自動移送機構が、前記シートの長さに実質的に平行な方向に前記シートを移送するように構成されている、請求項１に記載の方法。
【請求項１３】
前記複数のシートセンサが、慣性座標系に対して静止している、請求項１に記載の方法。
【請求項１４】
前記複数のシートセンサが、前記自動移送機構によって移送されるときに露出される前記シートの面に面するように、前記自動移送機構の上方に位置決めされる、請求項１に記載の方法。
【請求項１５】
前記シートが前記複数のシートセンサを横切って移送されているとき、前記複数のシートセンサの少なくともサブセットが、前記シートの長さ又は幅に沿った異なる部分に遭遇するように位置決めされる、請求項１に記載の方法。
【請求項１６】
前記シートが前記複数のシートセンサを横切って移送されているとき、前記複数のシートセンサの少なくともサブセットが、前記シートの長さ及び幅に沿った異なる部分に遭遇するように位置決めされる、請求項１５に記載の方法。
【請求項１７】
前記複数のシートセンサが非光学センサである、請求項１に記載の方法。
【請求項１８】
前記複数のシートセンサが超音波センサである、請求項１７に記載の方法。
【請求項１９】
前記複数のシートセンサが近接センサである、請求項１７に記載の方法。
【請求項２０】
前記複数のシートセンサが光ファイバセンサである、請求項１に記載の方法。
【請求項２１】
前記複数のシートセンサのうちの所与のシートセンサが、２進信号のうちの１つを提供するように構成されているとともに、第１信号が前記所与のシートセンサの検出ゾーンを横断する前記シートの存在を示すものであり、第２信号が前記所与のシートセンサの前記検出ゾーンを横断する前記シートの不在を示すものである、請求項１に記載の方法。
【請求項２２】
前記タイミングを検出することが、前記第１信号の持続期間を検出することを含む、請求項２１に記載の方法。
【請求項２３】
前記シートに隣接している第２シートの寸法、位置、又は向きを計算することをさらに含む、請求項１に記載の方法。
【請求項２４】
前記複数のシートセンサがダブルシートセンサである、請求項２３に記載の方法。
【請求項２５】
搬送中に露出される第１面を有するシートを搬送している間に、第１方向に真空流を含む第１自動移送機構と、
搬送中に露出される第２面を有する前記シートを搬送している間に、前記第１方向とは異なる第２方向に真空流を含む第２自動移送機構と、を備え、
前記第１自動移送機構による搬送中に前記第１面がスキャンされ、前記第２自動移送機構による搬送中に前記第２面がスキャンされる、原稿スキャン装置。
【請求項２６】
前記第１自動移送機構による搬送の間に前記シートの前記第１面をデジタル化するように構成された第１原稿デジタル化デバイスと、前記第２自動移送機構による搬送の間に前記シートの前記第２面をデジタル化するように構成された第２原稿デジタル化デバイスと、をさらに備える、請求項２５に記載の装置。
【請求項２７】
前記第１原稿デジタル化デバイスが、前記シートの前記第１面を照らすように構成された光源を備える、請求項２６に記載の装置。
【請求項２８】
前記第１原稿デジタル化デバイスが、ラインスキャナを備える、請求項２６に記載の装置。
【請求項２９】
前記第１面及び前記第２面が、順々にスキャンされる、請求項２５に記載の装置。
【請求項３０】
前記第１自動移送機構及び前記第２自動移送機構が、同じ方向に前記シートを搬送するように構成されている、請求項２５に記載の装置。
【請求項３１】
搬送中の期間の間、前記シートが前記第１自動移送機構及び前記第２自動移送機構の両方に同時に接触するように、前記第１自動移送機構及び前記第２自動移送機構が位置決めされている、請求項２５に記載の装置。
【請求項３２】
前記第１自動移送機構及び前記第２自動移送機構が、実質的に同じスピードで前記シートを搬送するように構成されている、請求項３１に記載の装置。
【請求項３３】
前記第１自動移送機構が、コンベアベルト、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及びドラッグコンベアのうちの１つ又は複数である、請求項２５に記載の装置。
【発明の詳細な説明】
【技術分野】
【０００１】
[0001]  本出願は、２０１７年３月２１日に出願された米国仮特許出願第６２／４７４，５２５号の利益を主張し、その出願全体が参照により本明細書に組み込まれる。
【背景技術】
【０００２】
[0002]  従来、原稿スキャンシステムは、サイズがわかっている、限られた量のシートに提供される。例えば、両面スキャンシステムは、従来、サイズが均一な原稿束を受け取り、個々のシートを裏返して原稿の両面をスキャンする。又は、従来の両面スキャンシステムは、ローラ又はコンベアを使用して、ページを透明プレート上にわたって移動させ、それらを下から画像化できるようにする場合もある。
【０００３】
[0003]  このような従来の原稿スキャンシステムは、原稿をスキャンするのにかなり時間がかかり、一緒に提供され得る非常に多岐にわたるサイズの原稿を取り扱うことは容易ではない。例えば、ローラ／プレート技術は、小型シートの移動には確実ではない。プレート上のシートの速度が正確に制御されないか、又はわからないことで、画像の歪みに結びつく場合があるからである。
【発明の概要】
【０００４】
[0004]  原稿をスキャンするために複数枚のシートを処理するためのシステム及び方法が提供される。本明細書に提供されているシステム及び方法によって、シートのサイズ又はタイプの多様性に対処することができる。システム及び方法は、スキャンされるシートの特性を検出するために提供される場合がある。例えば、ページ寸法決定のために非視覚的手法を用いる場合がある。原稿をスキャンするためのシステム及び方法が提供される場合がある。原稿スキャン装置は、サイズなどの特性が様々である両面シートの取り扱いが可能である場合がある。
【０００５】
[0005]  一態様では、提供されているのは、シートの特性を測定する方法であって、自動移送機構に複数のシートセンサを提供することと、この複数のシートセンサを利用して、自動移送機構を横断しながら、シートが複数のシートセンサの下に位置決めされるタイミングを検出することと、１つ又は複数のプロセッサを利用して、タイミングの検出に基づいてシートの寸法、位置、又は向きを計算することと、を含む方法である。
【０００６】
[0006]  いくつかの実施形態では、複数のシートセンサが実質的に直線状の列として配置されている。いくつかの実施形態では、自動移送機構が、複数のシートセンサの実質的に直線状の列に実質的に垂直な方向にシートを移送するように構成されている。いくつかの実施形態では、自動移送機構が、複数のシートセンサの実質的に直線状の列に対して非垂直の角度を成す方向にシートを移送するように構成されている。
【０００７】
[0007]  いくつかの実施形態では、複数のシートセンサが、実質的に一定の距離分だけ均等に離れている。
【０００８】
[0008]  いくつかの実施形態では、複数のシートセンサが、複数の実質的に直線状の列で配置されている。いくつかの実施形態では、複数のシートセンサがアレイとして配置されている。いくつかの実施形態では、複数のシートセンサが、複数の千鳥状の列として配置されている。
【０００９】
[0009]  いくつかの実施形態では、自動移送機構が、コンベアベルト、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及びドラッグコンベアのうちの１つ又は複数である。
【００１０】
[0010]  いくつかの実施形態では、自動移送機構が、コンベアベルトとシートとの間に接着力を提供するように構成された真空気流を含む。
【００１１】
[0011]  いくつかの実施形態では、１つ又は複数のプロセッサが、シートの幅、長さ、厚さ、対角線、又は周囲長を判定する。
【００１２】
[0012]  いくつかの実施形態では、自動移送機構が、シートの長さに実質的に平行な方向にシートを移送するように構成されている。
【００１３】
[0013]  いくつかの実施形態では、複数のシートセンサが、慣性座標系に対して静止している。
【００１４】
[0014]  いくつかの実施形態では、複数のシートセンサが、自動移送機構によって移送されるときに露出されるシートの面に面するように、自動移送機構の上方に位置決めされる。
【００１５】
[0015]  いくつかの実施形態では、シートが複数のシートセンサを横切って移送されているとき、複数のシートセンサの少なくともサブセットが、シートの長さ又は幅に沿った異なる部分に遭遇するように位置決めされる。いくつかの実施形態では、シートが複数のシートセンサを横切って移送されているとき、複数のシートセンサの少なくともサブセットが、シートの長さ及び幅に沿った異なる部分に遭遇するように位置決めされる。
【００１６】
[0016]  いくつかの実施形態では、複数のシートセンサが非光学センサである。いくつかの実施形態では、複数のシートセンサが超音波センサである。いくつかの実施形態では、複数のシートセンサが近接センサである。いくつかの実施形態では、複数のシートセンサが光ファイバセンサである。
【００１７】
[0017]  いくつかの実施形態では、複数のシートセンサのうちの所与のシートセンサが、２進信号のうちの１つを提供するように構成されているとともに、第１信号が所与のシートセンサの検出ゾーンを横断するシートの存在を示すものであり、第２信号が所与のシートセンサの検出ゾーンを横断するシートの不在を示すものである。いくつかの実施形態では、タイミングを検出することが、第１信号の持続期間を検出することを含む。
【００１８】
[0018]  いくつかの実施形態では、方法は、シートに隣接している第２シートの寸法、位置、又は向きを計算することをさらに含む。いくつかの実施形態では、複数のシートセンサがダブルシートセンサである。
【００１９】
[0019]  別の態様では、提供されているのは、搬送中に露出される第１面を有するシートを搬送している間に、第１方向に真空流を含む第１自動移送機構と、搬送中に露出される第２面を有するシートを搬送している間に、第１方向とは異なる第２方向に真空流を含む第２自動移送機構と、を備える原稿スキャン装置であって、第１自動移送機構による搬送中に第１面がスキャンされ、第２自動移送機構による搬送中に第２面がスキャンされる原稿スキャン装置である。
【００２０】
[0020]  いくつかの実施形態では、装置は、第１自動移送機構による搬送の間にシートの第１面をデジタル化するように構成された第１原稿デジタル化デバイスと、第２自動移送機構による搬送の間にシートの第２面をデジタル化するように構成された第２原稿デジタル化デバイスと、をさらに備える。
【００２１】
[0021]  いくつかの実施形態では、第１原稿デジタル化デバイスが、シートの第１面を照らすように構成された光源を備える。
【００２２】
[0022]  いくつかの実施形態では、第１原稿デジタル化デバイスが、ラインスキャナを備える。
【００２３】
[0023]  いくつかの実施形態では、第１面及び第２面が、順々にスキャンされる。
【００２４】
[0024]  いくつかの実施形態では、第１自動移送機構及び第２自動移送機構が、同じ方向にシートを搬送するように構成されている。
【００２５】
[0025]  いくつかの実施形態では、搬送中の期間の間、シートが第１自動移送機構及び第２自動移送機構の両方に同時に接触するように、第１自動移送機構及び第２自動移送機構が位置決めされている。
【００２６】
[0026]  いくつかの実施形態では、第１自動移送機構及び第２自動移送機構が、実質的に同じスピードでシートを搬送するように構成されている。
【００２７】
[0027]  いくつかの実施形態では、第１自動移送機構が、コンベアベルト、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及びドラッグコンベアのうちの１つ又は複数である。
【００２８】
[0028]  本開示の追加の態様及び利点は、以下の詳細な説明から当業者には容易に明らかになるであろう。詳細な説明では、本開示の単に例示的な実施形態が、単に本開示を実行するための考えられる最良のモードの実例として示され、説明される。理解されるように、本開示は、他の相異なる実施形態が可能であり、そのいくつかの詳細は、本開示からすべて逸脱せずに様々な明白な点で修正が可能である。従って、図面及び説明は、限定ではなく、実際は実例と見なされるべきである。
【００２９】
[0029]  本明細書において言及されているすべての刊行物、特許、及び特許出願は、各個々の刊行物、特許、又は特許出願が具体的、個別的に参照により本明細書に組み込まれるように示されている場合と同じ程度に、参照により本明細書に組み込まれる。
【００３０】
[0030]  本発明の新規な特徴は、添付の特許請求の範囲に詳細に記載されている。本発明の特徴及び利点は、本発明の原理を活用する例示的な実施形態を記載する、以下の詳細な説明、及び添付図面を参照することによって、より理解が深まるであろう。
【図面の簡単な説明】
【００３１】
【図１】[0031]本発明の一実施形態に従う、ページ寸法決定のための非視覚的手法の概略図を提供する。
【図２】[0032]本発明の一実施形態に従う、ページ検出装置の一例を示す。
【図３】[0033]本発明の実施形態に従う、様々な時点でページを検出するセンサの実例を提供する。
【図４】[0034]本発明の一実施形態に従う、ある期間にわたるページのセンサ検出の実例を提供する。
【図５】[0035]本発明の実施形態に従う、２枚重ねのページを検出するセンサの概略図を提供する。
【図６】[0036]本発明の実施形態に従う、両面スキャン構成の概略図を提供する。
【発明を実施するための形態】
【００３２】
[0037]  本明細書で本発明の好ましい実施形態を示し、説明してきたが、このような実施形態は、例としてのみ提供されていることが当業者には明らかであろう。多数の変形例、変更、及び代用がここで、本発明から逸脱することなく、当業者には思い付くであろう。本明細書で説明する本発明の実施形態に対する様々な代替が、本発明を実践する際に用いられ得ることを理解されたい。
【００３３】
[0038]  本発明は、原稿をスキャンするために複数枚のシートを処理するためのシステム及び方法を提供する。本明細書で説明する本発明の様々な態様は、以下で記載する特定の用途のうちのいずれかに適用され得る。本発明は、ドキュメントスキャナとして適用される場合もあれば、総合原稿デジタル化システム又はサービスの一部とする場合もある。本発明の様々な態様は、個々に、全体として、又は相互に組み合わせて認識できることが理解されよう。
【００３４】
[0039]  原稿のスキャン及び／又は取り扱いの際の一助とするために、原稿のシートの特性（例えば、サイズ、向き、場所）を検出する場合がある。シートは、非視覚的ページ寸法決定手法を含むが、これに限定されない、いずれかの手法を使用して寸法決定される場合がある。複数の多シートセンサが提供される場合がある。センサは、シートの存在、又は不在を検出できる場合がある。センサは、複数枚のシートの存在、又は不在を検出できる場合がある。任意に、センサは１つ又は複数の列で提供される場合がある。シートは、センサを通過して移送される場合がある。シートは、センサの１つ又は複数の列に実質的に垂直な方向に通過する場合がある。センサが１枚だけのシート又は複数枚のシートの存在、又は不在を検出するタイミングによって、シートの寸法及び／又は向きを判定することができる。シートの寸法、向き、及び／又は位置を判定することができる。シートの寸法、向き、及び／又は位置は、１つ又は複数のシステムコンポーネントに対して判定することができる。例えば、シートの寸法、向き及び／又は位置は、センサ、原稿スキャン装置、ラインスキャナ、カメラ、トラップドア、昇降部、スタック部に対して判定すること、及び／又は、様々な移送機構に対して判定することができる。いくつかの実施形態では、シートの検出された特性は、原稿デジタル化に有用な場合がある。
【００３５】
[0040]  シートは、スキャン技術を使用してデジタル化することができる。いくつかの事例では、真空移送システムを使用して、シートの両面スキャンを可能にすることができる。真空移送システムは、シートを上部で支持する第１真空コンベアと、シートを下部で支持する第２真空コンベアと、を備える場合がある。第１真空コンベアによる搬送中に、シートの上側表面が画像化され、第２真空コンベアによる搬送中に、シートの下側表面が画像化されるか、又はその逆である。シートの両面は、順々に画像化することができる。
【００３６】
[0041]  図１は、本発明の一実施形態に従う、ページ寸法決定のための非視覚的手法の概略図を提供する。複数のシートセンサ１１０が提供される場合がある。シート１０５は、移送機構によって、センサを通過して移送することができる。シートは、進行方向１２０に移送することができる。シートの寸法、例えば、幅１３０及び／又は長さ１４０を計算することができる。シートセンサは、シートが検出されないとき１１０ａ、及びシートが検出されたとき１１０ｂに、異なる状態を有する場合がある。
【００３７】
[0042]  原稿処理システムは、１枚又は複数枚の原稿スキャン用シートを受理する場合がある。シートは、任意のやり方で提供することができる。例えば、シートは、１つ又は複数の容器内に提供することができる。容器の例には、箱、カートン、樽、パレット、木枠、タンク、又は任意の他のタイプの容器が含まれる場合がある。物理的原稿は、容器内に１つ又は複数のスタックで配置することができる。物理的原稿は、垂直スタック及び／又は水平スタックで提供することができる。物理的原稿は、容器内に大まかに積み重ねることができる。いくつかの事例では、物理的原稿は、容器内に提供されない場合がある。物理的原稿は、（大まかな、若しくは位置合わせされた）スタックとして、山積み（pile）、又は任意の他のやり方で提供される場合がある。物理的原稿は、ファイルフォルダ（例えば、マニラフォルダ、レッドウェル（redwell）、アコーディオンフォルダ、ポケットフォルダ）、封筒、バインダ、パウチなどの１つ又は複数の整理用具内、又は、任意の他の整理された形で提供される場合がある。或いは、物理的原稿は、１つ又は複数の整理用具なしで提供される場合がある。
【００３８】
[0043]  シートは、いつでもデジタル化できるように操作することができる。原稿は、容器から取り出すことができる。原稿は、積み重ねられるか、又は任意の他の所望の配置で提供することができる。原稿は、互いに分離することができる。原稿は、１つ又は複数の整理用具から取り出すことができる。原稿の個々のシートは、互いに分離することができる。原稿の複数枚のシートをまとめて綴じる綴じ具は、取り外すことができる。綴じられた原稿及び／又は個々のシートは、個別に操作することができる。例えば、デジタル化のために一度に１枚だけのシートを移送することができる。本明細書に提供されているシステム及び方法は、デジタルリポジトリの画像化に備えて、以前に印刷された用紙の記録を操作するための自動装置を備える場合がある。これは、グループ化された、添付された、積み重ねられた、又は束ねられた記録を自動化されたやり方で個々のシートに分離することを含む場合もある。或いは、原稿準備の１つ又は複数の段階で手作業を介在させる場合がある。
【００３９】
[0044]  １つ又は複数の物理的原稿は、任意の媒体タイプのものであってもよい。各容器内の１つ又は複数の物理的原稿は、同じ媒体タイプのものである場合もあれば、複数の媒体タイプを含む場合もある。媒体のタイプの例には、用紙、カード用紙、ファイルフォルダ、ボール紙、アセテートフィルム、ポリエステルフィルム、Ｘ線フィルム、合成紙、マイクロフィッシュ、ティッシュペーパー、青写真、地図、布、又は羊皮紙が含まれるが、これらに限定されない。物理的原稿は、シート、業務用名刺、封筒、カード、又は折り畳まれた原稿を含む場合がある。物理的原稿は、付箋紙、タブ、ステッカー、ラベル、郵便はがき、又は、既存の物理的原稿の一部であるか、若しくは既存の物理的原稿に追加された任意の他の物品もまた含む場合がある。いくつかの実施形態では、１つ以上、２つ以上、３つ以上、４つ以上、５つ以上、６つ以上、７つ以上、又は８つ以上の異なる媒体タイプが、デジタル化のために提供される場合がある。原稿は、同じサイズを有する場合もあれば、異なるサイズを有する場合もある。例えば、原稿は、同じ寸法（例えば、幅、長さ、厚さ、対角線、直径、周囲長、又は円周）を有する場合がある。原稿は、同じ形状を有する場合もあれば、異なる形状を有する場合もある。原稿は、同じアライメント又は向き（例えば、横長／縦長）を有する場合もあれば、異なるアライメント及び／又は向きを有する場合もある。原稿は、同じ材料、又は異なる材料から形成することができる。原稿は、可撓性の程度が異なっている場合もあれば、可撓性の程度が同じである場合もある。
【００４０】
[0045]  １つ又は複数の物理的原稿は、綴じ具を利用してグループ化される場合がある。綴じ具の例には、ホッチキス針（例えば、鉄鋼ホッチキス針、プラスチックホッチキス針、非鉄金属ホッチキス針）、ペーパークリップ、スプリングバインダクリップ、クランプ、金属製プロング紙ファスナー、リング、螺旋状リング、ブラッド紙ファスナー、輪ゴム、リベット、グロメット、ピン、結束タイ、スナップ、面ファスナー、接着材、テープ、又は任意の他のタイプの綴じ具が含まれ得るが、これらに限定されない。綴じ具は、デジタル化に先立って物理的原稿から取り外すことができる。いくつかの実施形態では、綴じ具は、原稿のデジタル化に先立って、手作業を介在させる必要なく、自動化されたやり方で取り外すことができる。原稿の個々のシート／ページは、互いに分離することができる。個々のシート／ページは、移送機構に配置することができる。個々のシート／ページは、自動装置を使用して、移送機構上で分離及び／又は配置することができる。或いは、手作業を介在させることもできる。
【００４１】
[0046]  移送機構は、シート１０５を進行方向１２０に搬送することができる。移送機構によるシートの搬送の動きは、実質的に横方向とすることができる。この代わりに、又はこれに加えて、搬送方向に動きの垂直成分が存在する場合がある。移送機構は、自動化されたやり方でシートを搬送し得る任意のタイプの機構とすることができる。１つの例では、移送機構はコンベアベルトとすることができる。移送機構は、ベルトコンベアシステムの一部とすることができる。移送機構の他の例には、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及び／又はドラッグコンベアが含まれ得るが、これらに限定されない。移送機構は、自動真空コンベアとすることができる。移送機構は、任意に真空気流を含むことができる。真空流は、シートをコンベアベルトの表面に貼り付かせることができる。１つ又は複数の開口部を移送機構の表面上に設けて、気流を内側に流し（真空流）、シートを移送機構の表面上に吸引し、滑り落ちないようにすることができる。これは、シートが移送機構に沿って急速に搬送されるシナリオには、有用な場合がある。これは、搬送及び／又はデジタル化の間に、シートを適所に保持するのに役立つ場合がある。
【００４２】
[0047]  シートは、任意のサイズを有することができる。移送機構によって様々なシートを搬送することができ、様々なシートは、サイズの異なる２枚以上のシートを含むことができる。いくつかの事例では、シートはすべて、同じサイズのものであってもよい。或いは、１枚、２枚、又はそれ以上のシートは、他のシートと比較して異なるサイズのものであってもよい。シートは、ミリメートル、センチメートル、数十センチメートル、又はメートルのオーダーの寸法を有することができる。本明細書に提供されているシステム及び方法は、（例えば、任意の寸法の長さ、又は面積について）少なくとも１．５倍、２倍、３倍、４倍、５倍、７倍、１０倍、１５倍、２０倍、３０倍、又は５０倍のオーダーのシートサイズの変動に対処し得る場合がある。シートは、任意の特性（例えば、サイズ、材料、アライメント、向き、等々）を共有している場合もあれば、１つ又は複数の互いに異なる特性を有する場合もある。シートの寸法は、幅１３０、長さ１４０、厚さ、対角線、周囲長、及び／又は、任意の他の寸法を含む場合がある。いくつかの例では、シートは、シートの長さが進行方向に実質的に平行であるように搬送することができる。いくつかの例では、シートは、シートの幅が進行方向に実質的に平行であるように搬送することができる。シートは、進行方向に対して任意の向きとすることができる。例えば、シートの長さは、進行方向に対してほぼ約５度、１５度、３０度、４５度、６０度、７５度、９０度、１０５度、１２０度、１３５度、１５０度、１６５度、又は１８０度以下とすることができる。
【００４３】
[0048]  複数のシートセンサ１１０を位置決めして、移送機構に沿って通り過ぎるときにシート１０５を検出することができる。複数のセンサは、慣性座標系（例えば、環境）に対して静止していてもよい。シートは、慣性座標系に対して移動してもよい。いくつかの実施形態では、シートは、移送機構の上面に載せることができる。センサは、移送機構の上方に位置決めすることができる。センサは、移送機構によって移送されるときに露出されるシートの面に面して位置決めすることができる。センサを通り過ぎるとき、シートは、センサと移送機構との間に位置決めすることができる。
【００４４】
[0049]  シートセンサは、１つ又は複数の列で提供される場合がある。１つの例では、単一の列のシートセンサが提供される場合がある。列は、シートの進行方向に実質的に垂直とすることができる。別の例では、複数の列が提供される場合がある。例えば、センサのアレイ及び／又は千鳥状の列のセンサが提供される場合がある。列は、シートの進行方向に実質的に垂直である場合もあれば、実質的に垂直ではない場合もある。複数のセンサの少なくともサブセットが、シートが通り過ぎるときにシートの異なる部分に遭遇するように位置決めされる場合がある。シートが通り過ぎるときに、複数のセンサの少なくともサブセットが、シートの長さ又はシートの幅に沿った異なる部分に遭遇する場合がある。
【００４５】
[0050]  任意の数のシートセンサが提供される場合がある。いくつかの実施形態では、少なくとも１個、２個、３個、４個、５個、６個、７個、８個、９個、１０個、１２個、１５個、２０個、２５個、３０個、４０個、５０個、又はそれよりも多数のセンサが提供される場合がある。いくつかの事例では、センサの数は、上述の数のうちのいずれかよりも少なくてもよく、及び／又は、上述のセンサの数のうちのいずれか２つの間の範囲内にあってもよい。センサの数は、シートの最大寸法に基づいて提供される場合がある。センサの数は、シートに関するデータの所望の密度に基づいて提供される場合がある。センサは、任意の間隔で離れていてもよい。例えば、センサは、中心間で互いに０．１ｃｍ、０．５ｃｍ、１ｃｍ、１．５ｃｍ、２ｃｍ、２．５ｃｍ、３ｃｍ、３．５ｃｍ、４ｃｍ、５ｃｍ、６ｃｍ、７ｃｍ、又は１０ｃｍ未満離れていてもよい。センサは、互いの離間距離が、本明細書に記載されている値のうちのいずれかよりも大きくてもよい。センサは、等間隔で離れていてもよい。或いは、センサは、様々な間隔で離れていてもよい。いくつかの事例では、センサは、クラスタ状に集合させてもよい。
【００４６】
[0051]  シートセンサは、任意のタイプのダブルシートセンサとすることができる。シートセンサは、非視覚的データを活用して２枚重ねのシートを検出することができる。いくつかの事例では、シートセンサは、超音波センサ又は近接センサとすることができる。シートセンサは、容量性データを活用してシートを検出することができる。いくつかの事例では、超音波及び容量性情報の組み合わせを使用して、シートを検出することができる。超音波及び／又は容量性センサを用いて、シートの存在と不在との間の差異を検出することができる。いくつかの実施形態では、センサは、光ファイバセンサとすることができる。光ファイバセンサは、シートの存在と不在とを検出及び／又は区別できる場合がある。超音波及び／又は容量性センサを用いて、１枚だけのシートと、複数枚のシートとの間の差異を検出することができる。或いは、センサは、視覚ベースのデータを使用してシートを感知することができる。
【００４７】
[0052]  センサは、任意のサンプリングレートで動作させることができる。例えば、センサは、１００Ｈｚでサンプリングしてもよい。別の例では、センサは、３０，０００Ｈｚでサンプリングしてもよい。いくつかの実施形態では、センサは、少なくとも１０Ｈｚ、２０Ｈｚ、３０Ｈｚ、４０Ｈｚ、５０Ｈｚ、６０Ｈｚ、７０Ｈｚ、８０Ｈｚ、１００Ｈｚ、１２０Ｈｚ、１５０Ｈｚ、２００Ｈｚ、３００Ｈｚ、５００Ｈｚ、１，０００Ｈｚ、２，０００Ｈｚ、５，０００Ｈｚ、１０，０００Ｈｚ、１５，０００Ｈｚ、２０，０００Ｈｚ、２５，０００Ｈｚ、３０，０００Ｈｚ、３５，０００Ｈｚ、４０，０００Ｈｚ、５０，０００Ｈｚ、７５，０００Ｈｚ、又は１００，０００Ｈｚのレートでサンプリングしてもよい。サンプリングレートは、上述の値のうちのいずれかよりも低くてもよい。サンプリングレートは、上述の値のうちのいずれか２つの間の範囲内であってもよい。いくつかの実施形態では、高いサンプリングレートが、シートを測定し得る解像度を高める場合がある。
【００４８】
[0053]  検出されたシートがないとき、シートセンサは第１状態１１０ａにあってもよい。シートが検出されたとき、シート状態は第２状態１１０ｂにあってもよい。シートセンサは、シートの存在又は不在を表示し得る信号を供給することができる。センサからの信号に基づいて、１つ又は複数のプロセッサは、シートの寸法及び／又は向きを計算できる場合がある。
【００４９】
[0054]  図２は、本発明の一実施形態に従う、ページ検出装置の一例を示す。コンベアベルト２００などの移送機構を活用して、シート２０５を搬送することができる。複数のシートセンサ２１０を位置決めして、通り過ぎるときにシートを検出することができる。いくつかの実施形態では、センサを適所に保持するために支持構造体２２０が提供される場合がある。
【００５０】
[0055]  いくつかの実施形態では、原稿のシート２０５を搬送することができる移送機構は、コンベアベルト２００とすることができる。コンベアベルトは、様々な特性を有するシートに対処可能な場合がある。シートは分離され、コンベアベルト上に載置することができる。分離及び／又はコンベアベルト上への載置は、自動化されたやり方で行われる場合がある。コンベアベルトは、自動化されたやり方でセンサを通過してシートを搬送することができる。コンベアベルトは、高速でシートを搬送できる場合がある。いくつかの実施形態では、コンベアベルト表面は、およそ０．５ｍ／秒で移動している場合がある。任意に、コンベアベルトは、少なくとも０．０１ｍ／秒、０．０５ｍ／秒、０．１ｍ／秒、０．２ｍ／秒、０．３ｍ／秒、０．４ｍ／秒、０．５ｍ／秒、０．６ｍ／秒、０．７ｍ／秒、０．８ｍ／秒、１．０ｍ／秒、１．２ｍ／秒、１．５ｍ／秒、２ｍ／秒、３ｍ／秒、又は５ｍ／秒のスピードで移動している場合がある。いくつかの事例では、コンベアベルトは、記載されているいずれかの値よりも低速か、又は記載されている数のうちのいずれか２つの間の範囲内で移動している場合がある。いくつかの事例では、シートは、センサが毎秒およそ２枚のシートを検出するように搬送することができる。シートは、センサが少なくとも、３秒ごとに約１枚のシート、２秒ごとに１枚のシート、毎秒１枚のシート、毎秒２枚のシート、毎秒３枚のシート、毎秒４枚のシート、毎秒５枚のシート、毎秒６枚のシート、毎秒７枚のシート、毎秒１０枚のシート、又は毎秒１５枚のシートを検出するようなスピードで搬送することができる。上記のスピードの参照として、レターサイズのシートを使用することができる。コンベアベルトは、任意に、搬送の間にシートをコンベアベルトの表面上に保持することができる真空吸引を提供する場合がある。これは、搬送の間にシートが滑り落ちたり、予測不能な移動をしたりすることを防ぐことができる。
【００５１】
[0056]  シートは、コンベアベルトの進行方向に対して任意の向きを有することができる。例えば、シートは、シートの長さ又は幅が進行方向に実質的に平行（例えば、進行方向の約５度、３度、２度、１度、０．５度、又は０．１度以下内）であるように、進行方向と位置合わせすることができる。或いは、シートは歪んでいてもよく、本明細書の他の箇所に記載されている度数値のうちのいずれかのような、進行方向に対して任意の向きを有することができる。
【００５２】
[0057]  シートは、搬送中、コンベアベルトの表面上に載せることができる。シートセンサ２１０は、コンベアベルト上に垂設することができる。シートがシートセンサを通り過ぎるとき、シートはシートセンサとコンベアベルト表面との間に位置決めされる場合がある。シートセンサを位置決めするために使用することができる構造体２２０を提供することができる。この構造体は、センサをコンベアベルトの上方に垂設することができる。いくつかの実施形態では、センサは、送信機側２１０ａ及び受信機側２１０ｂを有する場合がある。送信機側は、構造体によって支持されている場合がある。受信機側は、コンベア上にあるか、コンベア内にあるか、又はコンベアによって支持されている場合がある。いくつかの実施形態では、受信機側はコンベアに埋め込まれている場合がある。いくつかの実施形態では、送信機は、検出されている用紙のシートの上方に支持されている場合があり、一方、受信機は、検出されている用紙のシートの下方に支持されている場合がある。シートが受信機の上方にないとき、受信機側は露出されている場合がある。シートが受信機の上方にない限り、受信機側は、コンベアが動作中である間、任意に露出されたままであってもよい。送信機は、受信機によって受信され得る信号を送信することができる。シートが送信機と受信機との間で位置決めされるとき、信号は、受信機に到達する前に変更してもよいし、受信機に到達しないようにしてもよい。これにより、シートの存在及び／又は不在を検出できる場合がある。いくつかの実施形態では、複数枚のシートが送信機と受信機との間で位置決めされるとき、受信機によって受信される（又は受信されない）信号は、１枚だけのシートが送信機と受信機との間で位置決めされるときとは異なっている場合がある。これにより、１枚だけのシートと複数枚のシートとの区別ができる場合がある。代替的な実施形態では、センサは、コンベア内に受信機を必要としない場合がある。いくつかの事例では、センサは、そのいずれもが構造体によって支持されている送信機及び受信機を有する場合がある。例えば、センサは、下方にある表面（例えば、コンベア、用紙のシート）によって反射され得る信号を送信する場合がある。受信機は、反射された信号を受信することができる。受信した信号を分析して、シートの存在若しくは不在、及び／又は１枚だけのシート若しくは複数枚のシートの存在を判定することができる。送信機及び受信機は、互いに電気通信している場合がある。送信機及び受信機は、データを分析し得る１つ又は複数のプロセッサと電気通信している場合がある。
【００５３】
[0058]  構造体は、慣性座標系に対して、任意に移動しない場合がある、静止構造体とすることができる。或いは、構造体は、慣性座標系に対して移動してもよい。構造体は、コンベアベルト支持体に対して静止していてもよい。支持構造体は、コンベアベルトの幅に及ぶ場合があるバーを含む場合がある。センサは、バーに支持されている場合がある。バーは、コンベアベルトの幅に沿ったセンサのうちの１つ又は複数の列を支持する場合がある。バーは、コンベアベルトよりも上方に上げることができる。バーは、一端だけで、又は両端で支持される場合がある。バーは、センサを電源に接続する１つ又は複数の電気コネクタ（例えば、電線、ケーブル）を支持する一助となる場合がある。いくつかの実施形態では、各センサは、電源から電力を受給できる場合がある。各センサは、１つ又は複数のプロセッサにセンサデータを通信することができる。この１つ又は複数のプロセッサは、支持構造体又はコンベアベルトに搭載されている場合もあれば、搭載されていない場合もある。いくつかの実施形態では、それぞれのセンサごとに、電力用及び通信用に別個の電気コネクタが提供される場合がある。或いは、電力用と通信用の両方に、同じ電気コネクタを使用する場合がある。
【００５４】
[0059]  シートセンサがシートを検出すると、シートセンサがシートを検出しないときとは異なる信号を発生させることができる。いくつかの事例では、シートセンサは、シートが検出されたか否かの知覚的な表示を提供することができる。例えば、シートセンサは、シートがシートセンサによって検出される間、視覚的な表示を提供することができる。シートが検出されたときと、シートが検出されないときとで、視覚的な表示は異なっている場合がある。１つの例では、ページを検出していないときに、シートセンサは第１色を示し、ページを検出しているときに第１色とは異なる第２色を示すことができる。ページがシートセンサを通り過ぎたときから、特定のセンサが第１色にあり、その後、シートがセンサによって最初に検出されると、第２色に切り替わることができる。シートがセンサの下を通過している間、センサは、第２色のままであってもよい。シートがもはやセンサの下になくなると、センサが切り替わって第１色に戻ることができる。別の例では、検出されたシートがないとき、センサは暗いか、又は無点灯であり、シートが検出されると、点灯するか、又は他の視覚的な表示を示すことができる。これに加え、又はこの代わりに、シートセンサは、シートがセンサによって検出されたときの聴覚的な表示及び／又は触覚的な表示を提供することができる。
【００５５】
[0060]  図３は、本発明の実施形態に従う、様々な時点でページを検出するセンサの実例を提供する。シート３０５は、１つ又は複数のシートセンサ３１０を利用して検出することができる。シートは、ある期間にわたって１つ又は複数のシートセンサを通り過ぎることができる。図３は、様々な時点（例えば、ｔ１、ｔ２、ｔ３、ｔ４、ｔ５）におけるシートセンサに対するシートの相対位置決めの一例を提供する。
【００５６】
[0061]  複数のシートセンサ３１０を提供することにより、シート３０５の寸法をある期間にわたって検出することが可能になる。シートセンサは、シートセンサがシートを検出すると「オン」になり、シートセンサがシートを検出しないと「オフ」になることができる。シートセンサは、シートセンサがシートを検出している間、オンのままであってもよい。シートセンサは、シートセンサがシートを検出していない間、オフのままであってもよい。シートセンサは、シートがシートセンサを通り過ぎるのにかかる時間の間、オンのままであってもよい。シートの寸法及び／又は向きによって、様々なシートセンサが様々な時点でオンになることができる。
【００５７】
[0062]  例えば、時間ｔ１において、センサのうちの２つが最初にシートの角に遭遇し、オンになることができ、一方、その他のセンサはオフのままであってもよい。シートが通り過ぎているとき、時間ｔ２において、センサを通り過ぎていくシートの部分が大きくなると、より多くのセンサがオンになることができる。同様に、時間ｔ３において、シートの中心部がセンサを通り過ぎていくと、さらに多くのセンサがオン状態であってもよい。時間ｔ４において、シートの中心部がセンサを通り過ぎてしまうと、オンになるセンサは少なくなってもよい。時間ｔ５において、シートが完全に通り過ぎてしまう前にシートの最後の角が検出されると、オンになるセンサが１つだけになる場合がある。いくつかの事例では、センサのうちのいくつかは、シートがこれらのセンサを通り過ぎない場合には、まったくオンにならない場合がある（例えば、上端及び／又は下端の境界にあるセンサ）。
【００５８】
[0063]  どのセンサがオンになるか、また、いつセンサがオンになるかのタイミングに応じて、シートの寸法及び／又は向きを計算することができる。１つ又は複数のプロセッサが、センサデータに応じてシートの寸法及び／又は向きを計算することができる。いくつかの実施形態では、移送機構の速度は、既知であってもよい。シートがセンサを通り過ぎている速度は、既知であってもよい。移送機構及び／又はシートの速度に基づいて、シートの寸法及び／又は向きを計算することができる。シートの寸法及び／又は向きは、センサデータ、及びシート／コンベアの既知の速度に基づいて計算することができる。
【００５９】
[0064]  １つ又は複数のプロセッサは、移送機構、センサ、又は移送機構若しくはセンサに接続されたデバイスに搭載されている場合がある。いくつかの実施形態では、１つ又は複数のプロセッサは、移送機構及び／又はセンサと動作可能に通信しているデバイスにあってもよい。デバイスは、動作通信及び／又はセンサから遠隔していてもよい。
【００６０】
[0065]  図４は、本発明の一実施形態に従う、ある期間にわたるページのセンサ検出の実例を提供する。複数のセンサ４１０が提供される場合がある。センサは、任意に列として提供される場合がある。列は、移送機構の進行方向に実質的に垂直とすることができる。
【００６１】
[0066]  センサ４２０によってある期間にわたって収集されたデータの表現が提供されている。センサがシートを検出すると、データは、シート検出４３０の表示を提供することができる。いくつかの実施形態では、センサは、「デフォルト」状態を有する場合がある。センサがシートを検出しないとき、デフォルト状態が提供される場合がある。センサは、「オン」状態になることができる。センサは、シートが通り過ぎていることをセンサが検出すると、「オン」状態になることができる。
【００６２】
[0067]  図４に図示されるように、センサ４１０は、ある期間にわたってデフォルト状態４２０を示す場合もあれば、シートが検出される期間の間にオン状態４３０を示す場合もある。センサがオン状態を出入する時間を追跡することができる。センサがオン状態に入るとき、及び／又はセンサがオン状態を出るときに、タイムスタンプを収集することができる。センサがデフォルトからオン状態に、及びその逆に移行するときのタイムスタンプを収集することができる。タイムスタンプは、任意の形態を有することができる。いくつかの実施形態では、タイムスタンプは、任意の度合いの精度を有することができる。いくつかの事例では、（例えば、タイムスタンプによって提供された）タイミングは、数秒、０．５秒、０．１秒、０．０５秒、０．０１秒、０．００５秒、０．００１秒、０．０００５秒、０．０００１秒内の精度を有することができる。シートがセンサを急速に通過して進行する場合には、高い精度が望ましい場合がある。高い精度は、業務用名刺、付箋紙等々のような、小型の物品を含む様々なシートサイズがセンサを通り過ぎる場合にもまた望ましい場合がある。これにより、様々なシートタイプ、サイズ、向き、及び／又は場所を正確に計算及び検出できる場合がある。
【００６３】
[0068]  図示されるように、複数のセンサが提供される場合がある。各センサは、センサがいつオン状態及び／又はデフォルト状態に入るかのタイミング情報を有することができる。複数のセンサを使用することにより、シートの寸法及び／又は向きの正確な検出が可能になる。例えば、ｎ個のセンサが提供される場合（ここでのｎは、正の整数−例えば、１、２、３、４、５、６、７、８、９、１０又はそれ以上）には、ｎ個のセンサがそれぞれオンになるとき（及び／又は場合）のタイムスタンプを使用して、シートの角度（例えば、シートの向き）を読み取ることができる。移送機構のスピードを知ることは、ページの角度を正確に読み取るために使用される場合がある。例えば、図示されるように、ある期間の間にわたってセンサが順々にオンになるとき、シートはわずかに斜めに傾いている場合がある。センサがすべて同時にオンになっている場合には、シートは、前縁部が進行方向に実質的に垂直であるように位置合わせされている可能性がある。
【００６４】
[0069]  センサが「オン」状態である時間の長さを使用して、センサを通り過ぎるページの幅を判定することができる。いくつかの実施形態では、時間の長さに関するデータは、センサによって直接提供される場合がある。いくつかの事例では、時間の長さは、センサがオン状態を出たときと、センサがオン状態に入ったときと、の間のタイムスタンプの差異として計算することができる。センサがオンである時間の長さは、シートの進行速度についての情報と組み合わせて、シートの幅を計算するために使用することができる。任意に、ページの角度は、センサがオンである時間の長さ、及びシートの速度と組み合わせて、シートの幅を計算するために使用することができる。
【００６５】
[0070]  シートの長さもまた、センサデータに基づいて計算することができる。例えば、オンになっているセンサの数に基づいて、シートの長さを計算することができる。例えば、図示されるように、特定のシートに対し、センサのうちの５つだけがオンになることができる。それは、ページの長さが、センサのうちの５つ又は６つが占める距離の間のどこかにあることを表示している可能性がある。長さは、オンになっているセンサの数に基づいて近似値を求めることができる。長さの見積もりは、センサの互いの距離のオーダーの精度を有することができる。シートの長さもまた、ページの角度に基づいて計算することができる。
【００６６】
[0071]  図５は、本発明の実施形態に従う、２枚重ねのページを検出するセンサの実例の概略図を提供する。シート５０５は、進行方向５２０に移動することができる。シートは、自動移送機構を利用して移動することができる。シートは、任意に、副シート５１５が添付されている場合がある。シート、及び／又は副シートの存在を検出し得る複数のセンサ５１０が提供される場合がある。
【００６７】
[0072]  進行方向５２０に移動する主シート５０５が提供される場合がある。本明細書の他の箇所に記載されているように、主シートは、任意のタイプの媒体とすることができる。いくつかの実施形態では、主シートは、副シート５１５が一緒に提供されている場合がある。副シートは、主シートに添付されている場合がある。いくつかの実施形態では、副シートは、摩擦により主シートに添付されている場合がある。副シートは、主シートに付着している場合がある。副シートは、１つ又は複数の綴じ具を利用して主シートに添付されている場合もあれば、添付されていない場合もある。副シートは、主シートに取り外し可能に添付することができる。例えば、副シートは、除去可能な接着剤を利用して添付することができる。例えば、副シートは、主シート上にあり得る付箋紙のメモ、又はタブとすることができる。
【００６８】
[0073]  副シートは、主シートと同じ寸法を有している場合もあれば、有していない場合もある。いくつかの実施形態では、副シートは、主シートよりも小さい寸法を有する場合がある。副シートは、主シートの上側表面上に提供することができる。上側表面は、主シートの、シートセンサに面する表面とすることができる。副シートは、主シートの下側表面上に提供することができる。下側表面は、主シートの、シートセンサから離れた側に面する表面とすることができる。
【００６９】
[0074]  １つ又は複数のシートセンサ５１０が提供される場合がある。シートセンサは、ダブルシートセンサを含む場合がある。シートセンサは、シートの存在、及び／又は不在を検出できる場合がある。シートセンサは、互いに積み重なっている２枚のシートと、１枚のシートとを検出すること、及び／又は、区別することができる場合がある。例えば、シートセンサは、シートの不在、１枚のシート、及び２枚以上のシートを検出すること、及び／又は、区別することができる場合がある。
【００７０】
[0075]  図示されるように、第１センサ５１０ａは、シートを検出しない場合がある。第２センサ５１０ｂは、１枚だけのシートの存在を検出することができる。第３センサ５１０ｃは、複数枚のシート（例えば、２枚以上のシート）の存在を検出することができる。シートセンサがシートを検出したとき、シートセンサがシートを検出しないときとは異なる信号を発生させることができる。シートセンサが複数枚のシートを検出したとき、シートセンサが１枚だけのシートを検出したとき、又はシートを検出しないときとは異なる信号を供給することができる。いくつかの事例では、シートセンサは、シートがまったく検出されていないかどうか、１枚だけのシートが検出されたかどうか、又は、複数枚の積み重なったシートが検出されたかどうかの知覚的な表示を提供することができる。例えば、シートセンサは、１枚のシート又は複数枚のシートがシートセンサによって検出されている間、視覚的な表示を提供することができる。視覚的な表示は、（１）複数枚のシートが検出されたとき、（２）１枚のシートだけが検出されたとき、及び（３）シートが検出されないときに異なっている場合がある。１つの例では、シートセンサは、ページを検出しないとき、第１色を示すことができ、１枚だけのページの検出中には、第１色とは異なる第２色を示すことができ、複数枚のページを検出するとき、第１色及び第２色とは異なる第３色を示すことができる。ページがシートセンサを通り過ぎたときから、特定のセンサが第１色にあり、その後、シートがセンサによって最初に検出されると、第２色に切り替わることができる。複数枚のシートがセンサによって最初に検出されると、シートは、第３色に切り替わることができる。それぞれの枚数のシートがセンサの下を通過している間、センサは、それぞれの色のままであってもよい。センサの下にシートがなくなると、センサが切り替わって第１色に戻ることができる。別の例では、検出されたシートがないとき、センサは暗いか、又は無点灯であり、１枚のシートが検出されると、及び／又は複数枚のシートが検出されると、点灯するか、又は他の視覚的な表示を示す場合がある。これに加え、又はこの代わりに、シートセンサは、１枚だけのシート又は複数枚のシートがセンサによって検出されたときの聴覚的な表示及び／又は触覚的な表示を提供することができる。
【００７１】
[0076]  主シート及び／又は副シートの寸法及び／又は向きは、センサを利用して判定することができる。主シート及び／又は副シートの寸法及び／又は向きは、移送機構の既知の速度に基づいて判定することができる。本明細書の他の箇所に記載されているように、副シートの寸法及び／又は向きは、主シートの寸法及び／又は向きと同じやり方で計算することができる。
【００７２】
[0077]  １枚だけのシートと複数枚のシートとを区別することが可能であるという本明細書の説明はいずれも、多数のシートをさらに区別できる場合があるセンサにもまた適用することができる。例えば、シートセンサは、一緒に積み重ねられた２枚のシートと３枚のシートを区別できる場合がある。別の例では、シートセンサは、一緒に積み重ねられた３枚のシートと４枚のシートを区別できる場合がある。
【００７３】
[0078]  いくつかの実施形態では、検出されたシートに基づいて、さらなるシートの処理が生じる場合がある。例えば、副シートが検出されると、副シートが検出された旨のメモを、デジタル化されている関連する主シートに作成することができる。副シートが存在する旨のメモは、原稿スキャン構成を使用してスキャンされる主シートのデジタル版と関連付けさせることができる。副シートに関する情報は、副シートの寸法及び／又は向きについての情報を含む場合がある。
【００７４】
[0079]  いくつかの実施形態では、副シートが検出されると、副シートを除去することができる。１つの例では、副シートは、自動化されたプロセスの一部として除去することができる。自動除去デバイスを使用して、主シート及び／又は副シートのデジタル化に先立って主シートから副シートを除去することができる。自動除去デバイスの動作は、主シート及び／又は副シートの既知の場所、並びに移送機構の既知の速度に基づいて、時間調節することができる。他の事例では、手作業による除去を提供することができる。動作を自動的に減速、又は一時停止させて、副シートの手作業による除去を可能にすることができる。
【００７５】
[0080]  いくつかの実施形態では、副シートが検出されると、主シート及び副シートをデジタル化プロセスから除去することができる。主シート及び副シートを処理のために別個の区域に移動させることができる。１つの例では、移送機構は、自動的に開いて主シートと副シートとを振り分けることができるトラップドアを有することができる。トラップドアの動作は、主シート及び副シートの既知の場所、並びに移送機構の速度に基づいて、時間調節することができる。
【００７６】
[0081]  シート（及び／又は副シート）の原稿スキャンは、センサによって集められたデータによって影響を受ける場合もあれば、受けない場合もある。いくつかの実施形態では、シートの既知の場所及び移送機構の速度は、シートが原稿スキャン構成に到達する時期を計算するのに有用な場合がある。このような情報は、スキャン時間の調節に有用な場合がある。いくつかの実施形態では、シートの既知の寸法及び／又は向きは、原稿のスキャンにもまた有用な場合がある。例えば、原稿スキャンシステムは、シートの既知の到達時間及び寸法に基づいて、ラインスキャンを開始及び停止する時期を知ることができる。原稿は、既知の向きに基づいて、スキャンした原稿を自動的に保存するやり方（例えば、原稿の画像を回転させるかどうか、及び／又はどれくらい回転させるか）を知ることができる。
【００７７】
[0082]  いくつかの実施形態では、センサによるデータは、品質保証のために使用される場合がある。いくつかの事例では、センサからのデータは、原稿スキャン構成からのデータと結び付けられて、発生した可能性のあるエラーを検出し、フラグを立てるために使用することができる。例えば、センサからのデータは、原稿スキャン構成によってスキャンされているシートよりも先に検出することができる。センサによって測定されたシートの向き（例えば、角度）は、原稿スキャン構成において測定されたシートの角度と比較することができる。向きの差異にフラグを立てて、さらなる調査を要求することができる。例えば、センサと原稿スキャン構成との間で５度だけ回転させたシートの場合であれば、シートが回転した理由を突き止めるための調査の正当な根拠として、この変更にフラグが立てることができる。別の例では、原稿スキャン構成は、第１面をスキャンすることができる第１原稿デジタル化デバイスと、第２面をスキャンすることができる第２原稿デジタル化デバイスと、を含むことができる。原稿デジタル化デバイスは、シートの角度を検出できる場合がある。第１原稿デジタル化デバイスと第２原稿デジタル化デバイスとの間のシートの向きの差異には、同様にフラグを立てることができる。任意の数の場所に、シートの向きを検出し得るセンサを提供することができる。これは、原稿を最初に受け取ったときのセンサ、綴じ具の取り外し及び／又はシートの分離のために原稿が準備されているときのセンサ、シート分離後のセンサ、又は、原稿スキャン前のセンサ、原稿スキャン中のセンサ、若しくは原稿スキャン後のセンサを含むことができる。これは、シートの向きを検出するために使用され得る非視覚的センサ及び／又は視覚センサを含む場合がある。シートの向きは、プロセスの１つ又は複数の段階を経て追跡することができる。シートの向きの予期せぬ変動には、可能性のあるエラーを精査する理由として、フラグを立てることができる。
【００７８】
[0083]  図６は、本発明の実施形態に従う、両面スキャン構成６００の概略図を提供する。シート６０５を搬送することが可能な第１自動移送機構６１０が提供される場合がある。シートを搬送することが可能な第２自動移送機構６２０が提供される場合がある。シートが第１自動移送機構によって搬送されている間に、第１原稿デジタル化デバイス６３０が、シートの第１面をデジタル化することができる。シートが第２自動移送機構によって搬送されている間に、第２原稿デジタル化デバイス６４０が、シートの第２面をデジタル化することができる。任意に、第１自動移送機構は、第１方向に真空流６１５を有する場合がある。第２自動移送機構は、第２方向に真空流６２５を有する場合がある。
【００７９】
[0084]  図示されるような両面スキャン構成６００は、シートのサイズが様々であるシートを移送、及びデジタル化することができる場合がある。例えば、両面スキャン構成は、ミリメートル、センチメートル、数十センチメートル、又は数百センチメートルのオーダーのシートをデジタル化することができる場合がある。両面スキャン構成は、業務用名刺、付箋紙メモ、タブ、郵便はがき、封筒、レターサイズのシート、リーガルサイズのシート、バナー、ポスターのサイズ、又は任意の他のサイズのシートをデジタル化することができる場合がある。いくつかの実施形態では、シートのタイプのうちの１つ又は複数は、原稿スキャンに先立って、他のシートから分離することができる。例えば、１つ又は複数の綴じ具は、シートの分離を可能にするために取り外すことができる。いくつかの実施形態では、付箋紙又は業務用名刺（若しくはその他の小型シート）のような、選択されたシートタイプは、綴じ具の分離と同様の段階で分離することができる。小型シートは、綴じ具を分離する前に、綴じ具を分離する間に、又は、綴じ具が分離され、原稿スキャンのために移送機構上に提供された後に取り外すことができる。これは、通常の原稿のシート分離と別個のプロセスであってもよいし、同じプロセスであってもよい。両面スキャン構成は、動作を変更したり、手作業を介入させたりする必要なく、サイズが様々であるシートをデジタル化できる場合がある。両面スキャン構成は、デジタル化プロセスのスピードを実質的に変える必要なく迅速に、様々なサイズのシートを自動的にデジタル化することができる。これにより、迅速な高スループットのデジタル化が可能になり有利な場合がある。例えば、様々なシートを提供することができ、原稿スキャン構成は、移送及び／又はデジタル化のスピードを変えずに、それらをすべて自動的にスキャンすることができる場合がある。
【００８０】
[0085]  両面スキャン構成は、シートの複数の面をスキャンできる場合がある。両面スキャン構成は、１枚の用紙の様々な特性（例えば、サイズ、厚さ、材料）に対処しながら、その用紙の両面をスキャンできる場合がある。両面スキャン構成は、手作業の介在を必要とせずに、様々なタイプのシートの両面をスキャンすることができる。両面スキャン構成は、スピード又はその他の動作特性の変更を必要とせずに、様々なタイプのシートのページの両面をスキャンすることができる。
【００８１】
[0086]  第１自動移送機構６１０は、自動化されたやり方で用紙のシートを移送することが可能な任意の機構とすることができる。例えば、移送機構はコンベアベルトとすることができる。移送機構は、ベルトコンベアシステムの一部とすることができる。移送機構の他の例には、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及び／又はドラッグコンベアが含まれ得るが、これらに限定されない。移送機構は、ある場所から別の場所へとシートを移送することができる。移送機構は、シートを横方向に移送することができる。この代わりに、又はこれに加えて、動きの垂直成分が提供される場合がある。いくつかの実施形態では、第１自動移送機構は、シート特性（例えば、サイズ、向き）を検出するために使用されるのと同じ移送機構とすることができる。第１自動移送機構は、シートの非視覚的検出、並びにシートの第１面のスキャンに及ぶ単一のコンベアベルトとすることができる。或いは、別個の移送機構を使用してもよい。別個の移送機構は、同じタイプの移送機構である場合もあれば、異なるタイプの移送機構である場合もある。シートについての情報の収集に使用される移送機構は、原稿スキャンのために、第１自動移送機構に直接シートを搬送することができる。シートについての情報の収集に使用される移送機構は、原稿スキャンのために、１つ又は複数の中間デバイスを利用して間接的にシートを第１自動移送機構に搬送することができる。非視覚的検出ステーションから原稿スキャンステーションまでのシートの搬送を自動化することができる。手作業の介在は、非視覚的検出ステーションから原稿スキャンステーションまでのシートの搬送には必要でない場合がある。
【００８２】
[0087]  第１自動式移送機構６１０は、第１方向に気流６１５を含む場合がある。この気流は、真空流とすることができる。この気流は、第１自動式移送機構内の負圧によって供給することができる。移送機構は、シートを支持し得る表面を含むことができる。この表面は、コンベアベルトなどのベルトとすることができる。表面は、空気がそこを通して流れ得る、１つ又は複数の開口部を含むことができる。表面は、真空がそこを通して空気を移送機構内に吸引し得る、１つ又は複数の開口部を含むことができる。いくつかの実施形態では、真空流を発生させる負圧は、気圧よりも低い場合がある。いくつかの事例では、負圧源は、約０．９５気圧、０．９気圧、０．８５気圧、０．８気圧、０．７５気圧、０．７気圧、０．６５気圧、０．６気圧、０．５５気圧、０．５気圧、０．４５気圧、０．４気圧、０．３５気圧、０．３気圧、０．２５気圧、０．２気圧、又は０．１気圧以下の圧力を有する場合がある。負圧源は、上記の圧力値のうちのいずれかよりも大きな圧力を有する場合もあれば、上記の圧力値のうちのいずれか２つの間の範囲内にある場合もある。真空気流の方向は、移送機構の表面に実質的に垂直とすることができる。真空気流の方向は、移送機構の表面に向かって実質的に下方であってもよい。真空気流の方向は、シートから移送機構の表面に向かっていてもよい。移送機構に支持されたシートは、移送機構の表面に向かって吸引することができる。いくつかの事例では、シートは、移送機構の表面上への下方に吸引することができる。
【００８３】
[0088]  いくつかの実施形態では、１つ又は複数の開口部は、真空流がそこを通して生じ得る、複数の穴を含むことができる。任意の数、又は密度の開口部を設けることができる。例えば、表面の、少なくとも１％、３％、５％、１０％、１５％、２０％、２５％、３０％、３５％、４０％、５０％、６０％、７０％、又は８０％の面積を開口部とすることができる。いくつかの事例では、列記された割合のうちのいずれかよりも小さい面積を開口部とすることができる。いくつかの事例では、表面１平方フィート当たりに少なくとも１個、２個、３個、５個、７個、１０個、１５個、２０個、３０個、４０個、５０個、７０個、又は１００個の開口部を設けることができる。
【００８４】
[0089]  真空流は、シートが移送機構の表面に吸い付いて、望ましくない形で動かないようにできる場合がある。表面上の真空流及び／又は摩擦により、シートを制御されたやり方で移送機構に沿って搬送させることができる。真空流により、シートを滑落、又は脱落させることなく、移送機構に沿って搬送できる場合がある。
【００８５】
[0090]  移送機構は、既知の速度でシートを移送することができる。移送機構は、制御された速度でシートを移送することができる。原稿スキャン構成の操作者は、シートを移送し得る速度を選択、又は指定することができる場合がある。或いは、シートを移送し得る速度は、予め設定することができる。シートは、スキャン中、実質的に一定の速度で搬送することができる。いくつかの実施形態では、シートは、約０．５ｍ／秒の速度で搬送することができる。シートは、本明細書の他の箇所に記載されたいずれかの速度で搬送することができる。シートは、本明細書の他の箇所に記載された速度値のうちのいずれかよりも高速で、それよりも低速で、又は、ほぼその速度で進行することができる。任意のシートスキャン速度、例えば、本明細書の他の箇所に記載されたスキャン速度を提供することができる。
【００８６】
[0091]  シートが第１自動移送機構によって搬送されている間に、第１原稿デジタル化デバイス６３０が、シートの第１面をデジタル化することができる。第１原稿デジタル化デバイスは、ラインスキャンカメラなどのスキャナとすることができる。第１原稿デジタル化デバイスは、フィードバックとしてエンコーダを含む場合がある。第１原稿デジタル化デバイスは、一度に１つ又は複数の行の画素をスキャンすることができる。シートが移動している間、第１原稿デジタル化デバイスは、個々の行の画素をスキャンすることができる。本発明の代替的な実施形態では、第１原稿デジタル化デバイスは、シートのスナップショットを取得することができる。例えば、行ごとに進まずに、画像全体を同時に取り込むことができる。
【００８７】
[0092]  第１原稿デジタル化デバイスには、シートを照らし得る光源が提供される場合がある。光源は、原稿デジタル化デバイスが原稿を画像化する間にシートを照らすことができる。例えば、スキャン期間中、光源はオンとすることができる。光源は、原稿デジタル化デバイスの近くに位置していてもよい。光源は、移送機構の、原稿デジタル化デバイスと同じ側に位置していてもよい。
【００８８】
[0093]  いくつかの実施形態では、第１移送機構は、真空コンベアベルトとすることができる。シートは、真空コンベアベルトの上面に載せることができる。シートは、真空コンベアベルトの表面に向かって吸引することができる。シートの第１面が、露出されている場合がある。シートの第１面は、真空コンベアベルトの表面とは反対側に面している場合がある。シートの第２面が、真空コンベアベルトの表面に面している場合がある。ラインスキャナは、真空コンベアベルトの上方に位置決めすることができる。ラインスキャナは、シートの第１面に面して位置決めすることができる。光源は、任意に、真空コンベアベルトの上方に位置決めすることができる。光源は、シートの第１面に面して位置決めすることができる。シートは、真空コンベアベルトの表面と、ラインスキャナ及び／又は光源との間に位置してもよい。
【００８９】
[0094]  第２自動移送機構６２０は、自動化されたやり方で用紙のシートを移送することが可能な任意の機構とすることができる。例えば、移送機構は、コンベアベルトとすることができる。移送機構は、ベルトコンベアシステムの一部とすることができる。移送機構の他の例には、重力コンベア、重力スケートホイールコンベア、金網ベルトコンベア、プラスチックコンベア、バケットコンベア、フレキシブルコンベア、垂直コンベア、螺旋コンベア、振動コンベア、空気コンベア、電気軌道車両システム、駆動ローラコンベア、伝動軸ローラコンベア、チェーンコンベア、スクリューコンベア、オーバーヘッドｉビームコンベア、防塵コンベア、及び／又はドラッグコンベアが含まれ得るが、これらに限定されない。移送機構は、ある場所から別の場所へとシートを移送することができる。移送機構は、シートを横方向に移送することができる。この代わりに、又はこれに加えて、動きの垂直成分が提供される場合がある。第２自動移送機構は、第１移送機構と同じタイプの移送機構とすることができる。或いは、第２自動移送機構は、第１自動移送機構と異なるタイプの移送機構とすることができる。第２自動移送機構は、第１移送機構と１つ又は複数の特性を共有している場合がある。第２自動移送機構は、第１移送機構とは異なる１つ又は複数の特性を有する場合がある。
【００９０】
[0095]  第２自動式移送機構６２０は、第２方向に気流６２５を含む場合がある。第２方向は、第１自動式移送機構６１０に提供される気流６１５の第１方向とは異なっている場合がある。第２方向は、第１方向とは反対側の方向とすることができる。第２方向は、第１方向に平行とすることができる。他の例では、第２方向は、第１方向に垂直、又は第１方向に対して傾いた角度であってもよい。気流は、真空流とすることができる。この気流は、第２自動式移送機構内の負圧によって供給することができる。移送機構は、シートを支持し得る表面を含むことができる。この表面は、コンベアベルトなどのベルトとすることができる。表面は、空気がそこを通して流れ得る、１つ又は複数の開口部を含むことができる。表面は、真空がそこを通して空気を移送機構内に吸引し得る、１つ又は複数の開口部を含むことができる。いくつかの実施形態では、真空流を発生させる負圧は、気圧よりも低い場合がある。いくつかの事例では、負圧源は、約０．９５気圧、０．９気圧、０．８５気圧、０．８気圧、０．７５気圧、０．７気圧、０．６５気圧、０．６気圧、０．５５気圧、０．５気圧、０．４５気圧、０．４気圧、０．３５気圧、０．３気圧、０．２５気圧、０．２気圧、又は０．１気圧以下の圧力を有する場合がある。負圧源は、上記の圧力値のうちのいずれかよりも大きな圧力を有する場合もあれば、上記の圧力値のうちのいずれか２つの間の範囲内にある場合もある。真空気流の方向は、移送機構の表面に実質的に垂直とすることができる。真空気流の方向は、移送機構の表面に向かって実質的に下方であってもよい。真空気流の方向は、シートから移送機構の表面に向かっていてもよい。移送機構に支持されたシートは、移送機構の表面に向かって吸引することができる。いくつかの事例では、シートは、移送機構の表面に向かって上方に吸引することができる。
【００９１】
[0096]  いくつかの実施形態では、１つ又は複数の開口部は、真空流がそこを通して生じ得る、複数の穴を含むことができる。任意の数、又は密度の開口部を設けることができる。例えば、表面の、少なくとも１％、３％、５％、１０％、１５％、２０％、２５％、３０％、３５％、４０％、５０％、６０％、７０％、又は８０％の面積を開口部とすることができる。いくつかの事例では、列記された割合のうちのいずれかよりも小さい面積を開口部とすることができる。いくつかの事例では、表面１平方フィート当たりに少なくとも１個、２個、３個、５個、７個、１０個、１５個、２０個、３０個、４０個、５０個、７０個、又は１００個の開口部を設けることができる。
【００９２】
[0097]  真空流は、シートが移送機構の表面に吸い付いて、望ましくない形で動かないようにできる場合がある。シートは、移送機構の表面上へと上方に吸引することができる。表面上の真空流及び／又は摩擦により、シートを制御されたやり方で移送機構に沿って搬送させることができる。真空流により、シートを滑落、又は脱落させることなく、移送機構に沿って搬送できる場合がある。
【００９３】
[0098]  移送機構は、既知の速度でシートを移送することができる。移送機構は、制御された速度でシートを移送することができる。原稿スキャン構成の操作者は、シートを移送し得る速度を選択、又は指定することができる場合がある。或いは、シートを移送し得る速度は、予め設定することができる。シートは、スキャン中、実質的に一定の速度で搬送することができる。いくつかの実施形態では、シートは、約０．５ｍ／秒の速度で搬送することができる。シートは、本明細書の他の箇所に記載されたいずれかの速度で搬送することができる。シートは、本明細書の他の箇所に記載された速度値のうちのいずれかよりも高速で、それよりも低速で、又は、ほぼその速度で進行することができる。任意のシートスキャン速度、例えば、本明細書の他の箇所に記載されたスキャン速度を提供することができる。
【００９４】
[0099]  シートが第２自動移送機構によって搬送されている間に、第２原稿デジタル化デバイス６４０が、シートの第２面をデジタル化することができる。第２原稿デジタル化デバイスは、ラインスキャンカメラなどのスキャナとすることができる。第２原稿デジタル化デバイスは、フィードバックとしてエンコーダを含む場合がある。第２原稿デジタル化デバイスは、一度に１つ又は複数の行の画素をスキャンすることができる。シートが移動している間、第２原稿デジタル化デバイスは、個々の行の画素をスキャンすることができる。本発明の代替的な実施形態では、第２原稿デジタル化デバイスは、シートのスナップショットを取得することができる。例えば、行ごとに進まずに、画像全体を同時に取り込むことができる。
【００９５】
[0100]  第２原稿デジタル化デバイスは、第１原稿デジタル化デバイスと同じタイプのデジタル化デバイスとすることができる。或いは、第２原稿デジタル化デバイスは、第１原稿デジタル化デバイスと異なるタイプのデジタル化デバイスとすることができる。第２原稿デジタル化デバイスは、第１原稿デジタル化デバイスと１つ又は複数の特性を共有している場合がある。第２自動原稿デジタル化デバイスは、第１原稿デジタル化デバイスとは異なる１つ又は複数の特性を有する場合がある。
【００９６】
[0101]  第２原稿デジタル化デバイスには、シートを照らし得る光源が提供される場合がある。光源は、第２原稿デジタル化デバイスが原稿を画像化する間にシートを照らすことができる。例えば、スキャン期間中、光源はオンとすることができる。光源は、第２原稿デジタル化デバイスの近くに位置している場合がある。光源は、移送機構の、第２原稿デジタル化デバイスと同じ側に位置している場合がある。
【００９７】
[0102]  いくつかの実施形態では、第２移送機構は、真空コンベアベルトとすることができる。シートは、真空コンベアベルトの下面に載せることができる。シートは、真空コンベアベルトの表面に向かって上方に吸引することができる。シートは、真空コンベアベルトから釣止することができる。シートは、真空流を使用して、シートの下に追加の支持体又は構造体の使用を必要とせずに釣止することができる。シートの第２面が露出されている場合がある。シートの第２面は、真空コンベアベルトの表面とは反対側に面している場合がある。シートの第１面は、真空コンベアベルトの表面に面している場合がある。ラインスキャナは、真空コンベアベルトの下方に位置決めすることができる。ラインスキャナは、シートの第２面に面して位置決めすることができる。光源は、任意に、真空コンベアベルトの下方に位置決めすることができる。光源は、シートの第２面に面して位置決めされる場合がある。シートは、真空コンベアベルトの表面と、ラインスキャナ及び／又は光源との間に位置してもよい。
【００９８】
[0103]  原稿デジタル化デバイスは、白黒で、グレースケールで、又はカラーでスキャンできる場合がある。原稿デジタル化デバイスは、白黒で、グレースケールで、又はカラーでシートの画像の取り込みができる場合がある。
【００９９】
[0104]  シート６０５は、最初に、画像化される第１面を有しながら、第１移送機構６１０によって搬送することができる。次に、シートは、画像化される第２面を有しながら、第２移送機構６２０によって搬送することができる。いくつかの実施形態では、シートは、第１移送機構の上部に載せることができ、第２移送機構の下側表面上で支持することができる。或いは、シートを第１移送機構の下側表面上で支持し、第２移送機構の上部に載せることができる場合、逆の順序が提供されてもよい。前者について詳細に説明するが、後者を適用してもまたよい。シートの両面の画像化を可能にし得るいずれかの順序を提供することができる。１つの例では、図示されるように、シートは、引き下げられた状態から引き上げられた状態に搬送することができ、従って、上部スキャンカメラ、次に、下部スキャンカメラを通って移動する。シートは、一方又は両方のカメラを通って、既知の速度で移動することができる。提供されているような原稿スキャン構成により、シートをひっくり返さずにシートの両面の画像化が可能になる場合がある。提供されているような原稿スキャン構成は、シートの向きを変えずに、両面スキャンを提供することができる。提供されているような原稿スキャン構成により、シートが透明プレートによって支持されることを必要とせずに、シートの両面の画像化が可能になる場合がある。この原稿スキャン構成により、第１移送機構と、第２移送機構との間に実質的な切れ目のないシートの両面が可能になる場合がある。シートが切れ目上を通ることなく、シートの両面をスキャンすることができる。シートは、原稿スキャンプロセスの全体を通して（例えば、両面がスキャンされている間）、既知の速度で進行することができる。シートは、原稿スキャンプロセスの全体を通して（例えば、両面がスキャンされている間）、実質的に一定の速度で進行することができる。シートの両面は、順々にスキャンすることができる。例えば、シートの第１面をスキャンし、次に、シートの第２面をスキャンしてもよいし、又はその逆であってもよい。異なる原稿デジタル化デバイスを使用して、シートの両面をスキャンしてもよい。
【０１００】
[0105]  いくつかの実施形態では、原稿スキャン構成で、第１移送機構と第２移送機構とが一部重複している部分があってもよい。第１移送機構及び第２移送機構の両方が、ある時点でシートを支持している場合がある。いくつかの実施形態では、第１移送機構はシートの少なくとも一部の下にあり、一方、第２移送機構はシートの少なくとも一部の上にあってもよいし、又はその逆であってもよい。第１移送機構は、ある瞬間において第２移送機構が上方にあるシートの同じ部分の下方にあってもよい。いくつかの事例では、シートの少なくとも一部は、第１移送機構と、第２移送機構との間に挟まれている場合がある。いくつかの事例では、第１移送機構と第２移送機構との間に挟まれたシートの一部は、両面から圧力を受ける場合がある。或いは、シートが両面から圧力を受けないことを可能にし得る、空間又は切れ目が提供される場合がある。いくつかの実施形態では、第１移送機構と第２移送機構との間の切れ目の距離は、システムを通り抜ける厚みのあるシート（例えば、カード用紙、ボール紙、ポスターボード、フォームコア等々）に対処するのに十分な大きさとすることができる。例えば、距離は、少なくとも０．１ｍｍ、０．５ｍｍ、１ｍｍ、２ｍｍ、３ｍｍ、４ｍｍ、５ｍｍ、７ｍｍ、又は１ｃｍとすることができる。切れ目が提供されているとき、第１移送機構と第２移送機構との間の移行は、真空流を利用して容易にすることができる。例えば、第２移送機構の真空流は、シートを第２移送機構に引き寄せるのに十分な強さとすることができる。いくつかの事例では、正圧が移送の一助となる場合がある。例えば、第１移送機構の端部は、シートを第１移送機構から離して、第２移送機構の方へ押しやることができる気流を出すことができる。これを別々に、又は、第２移送機構からの真空流と連携させて使用することができる。いくつかの事例では、機械構造体が、シートを第２移送機構に移動させる一助となる場合がある。例えば、機械指が、シートを第２移送機構まで押し上げる一助となる場合がある。いくつかの実施形態では、構成は、他のタイプのシートを振り分けながら、ある一定のタイプのシートを通過させて、第２面でスキャンできるように調整することができる。例えば、厚みのあるもの（例えば、ボール紙、フォームコア、ＤＶＤ等々）はビン内へと通過することができ、一方、薄いもの（例えば、用紙のシート）であれば、スキャンされることになる。切れ目及び／又は真空力は、ある一定のタイプを振り分けながら、ある一定のタイプのシートを選択的にスキャンできるように調整することができる。真空力は、ある一定のタイプのシートだけを持ち上げるのに十分な強さとすることができる。
【０１０１】
[0106]  第１移送機構の少なくとも一部が、第２移送機構と一部重複していない場合があり、またその逆の場合もある。
【０１０２】
[0107]  シートの少なくとも一部が第１移送機構と第２移送機構との間にある間、シートは、第１移送機構及び第２移送機構の両方と同時に接触している場合がある。或いは、シートは、一度に第１移送機構、及び第２移送機構のうちの１つだけと接触している場合がある。いくつかの事例では、第１移送機構からの第１真空流は、シートに吸引力を提供することができ、一方、第２移送機構からの第２真空流もまた、シートに吸引力を提供していている。第１真空流及び第２真空流は、シートの同じ部分に同時に提供することができる。この代わりに、又はこれに加えて、それらは、シートの異なる部分に同時に提供することができる。１つの例では、シートは、第１移送機構によって支持することができるが、シートが第２区域から第２真空流を受けている区域では、第１真空流が流れていなくてもよい。他の例では、シートは、同じ側方区域で第１真空流及び第２真空流を受けていてもよい。
【０１０３】
[0108]  原稿のデジタル版は、記録管理システムに保存することができる。シートの第１面及びシートの第２面からの画像は、互いに関連付けさせることができる。シートの第１面、及びシートの第２面からの画像は、単一のシートの一部として一緒にメモリに保存することができる。原稿のデジタル版は、１つ又は複数の記憶装置ユニットに保存することができる。デジタル版は、クラウドコンピューティングのインフラストラクチャに保存することができる。ユーザは、原稿のデジタル版にアクセスできる場合がある。いくつかの実施形態では、ユーザは、遠隔操作で原稿のデジタル版にアクセスできる場合がある。
【０１０４】
[0109]  代替的な実施形態では、第１移送機構及び第２移送機構は、一部重複していなくてもよい。第１移送機構は、シートを第２移送機構に直接搬送できる場合もあれば、一部重複せずに中間移送機構を使用できる場合もある。
【０１０５】
[0110]  原稿は、透明プレート又は他の同様の支持体を必要とせずにスキャンすることができる。原稿デジタル化デバイスは、中間支持体又は中間層を必要とせずに、原稿の画像を直接取り込むことができる。これは、ローラを使用してシートを挟み、シートが透明プレート上を通過しているとき、シートを背後から画像化することができる機械よりも有利な場合がある。このようなタイプのプレート又は層を使用することにより、コンベアによってしっかりと保持されない業務用名刺のような小型シートが、プレート又は層を横切る切れ目にまたがっているときに一定に移動させない場合がある。プレート又は層は、おそらく滑らかであるので、速度が一定でないと、ある程度の画素伸張、又は画像の歪みの原因となる可能性があり、これは、可変のシートサイズでは、より顕著であるか、より大きな影響を有する可能性がある。
【０１０６】
[0111]  本明細書に提供されているシステム及び方法は、あらゆるサイズの、たとえ業務用名刺よりもさらに小型のシートであっても、画像化に対処することができる。原稿スキャン構成及び方法は、画像化平面にわたって一定の速度を確保し、高いスキャン品質を提供することができる。説明した真空流システムにより、あらゆるサイズのシートを既知のシート速度で確実に搬送、及びスキャンできる場合があり、その結果、スケーリングされた画像が改善される場合がある。
【０１０７】
[0112]  シートのデジタル版は、高解像度で保存することができる。本明細書に提供されているスキャン技術により、歪みをほとんど、又はまったく伴わずに高解像度が可能になる場合がある。いくつかの実施形態では、本明細書に提供されている原稿スキャン構成は、解像度が少なくとも１００ＤＰＩ、２００ＤＰＩ、３００ＤＰＩ、３５０ＤＰＩ、４００ＤＰＩ、４５０ＤＰＩ、５００ＤＰＩ、５５０ＤＰＩ、６００ＤＰＩ、６５０ＤＰＩ、７００ＤＰＩ、８００ＤＰＩ、１０００ＤＰＩ、１５００ＤＰＩ、２０００ＤＰＩ、又は３０００ＤＰＩである画像を保存できる場合がある。
【０１０８】
[0113]  特定の実装が例示及び説明されてきたが、それらに種々の修正を行うことができ、本明細書において想定されることを前述のことから理解されたい。また、本発明は、本明細書内に提供されている具体的な例に限定されることを意図しない。本発明は、前述の明細書を参照して説明されてきたが、本明細書における好ましい実施形態の説明及び実例は、限定的意味合いにおいて解釈されることを意味しない。さらに、本発明のすべての態様は、様々な条件及び変数に依存する、本明細書に記載された具体的な描写、構成、又は相対的割合に限定されないことを理解されたい。本発明の実施形態の形態及び詳細における種々の修正は、当業者に明白となるであろう。従って、本発明は、任意のこのような修正、変形例、及び均等物もまた網羅することが想定される。
【図１】
2020512247.tif 000003
【図２】
2020512247.tif 000004
【図３】
2020512247.tif 000005
【図４】
2020512247.tif 000006
【図５】
2020512247.tif 000007
【図６】
2020512247.tif 000008
【国際調査報告】
2020512247.tif 000009
2020512247.tif 000010
2020512247.tif 000011